(57)【要約】【課題】売上代金の決済業務における安全性の確保が可能な決済処理方法を提供する。【解決手段】レジスタ端末でレジスタ担当者が売上代金の決済を行う際に（ステップＳ１）、あらかじめ設定された決済上限金額を超過する売上代金であった場合で（ステップＳ３の「はい」）、該レジスタ担当者が該売上代金の超過決済を許容された権限を有していない担当者として登録されていた場合（ステップＳ５の「いいえ」）、当該レジスタ端末にマネージャ等の上位の決裁権限を有する代替の決済担当者の認証コードの入力を促す入力画面を表示し（ステップＳ６）、超過決済の権限を有する有効な認証コードが入力された場合に（ステップＳ８の「はい」）、該超過決済に関する情報を超過決済情報レポートに集計登録するとともに、決済上限金額を超過する売上代金の決済を行う（ステップＳ９、Ｓ１０）。有効な認証コードが入力されない場合はエラー表示とし、決済を実行しない。【選択図】図１０
2008282112.tif 000002
【特許請求の範囲】
【請求項１】
レジスタ端末により売上代金の決済を行う決済処理方法において、該レジスタ端末により決済を行うレジスタ担当者の決済が許容される決済上限金額をあらかじめ任意に設定登録していることを特徴とする決済処理方法。
【請求項２】
売上代金が前記決済上限金額を超過する場合に、前記決済上限金額を超過する該売上代金の決済を行う権限を有しているか否かを示す決裁権限レベルを、前記レジスタ担当者ごとに、あらかじめ任意に設定登録していることを特徴とする請求項１に記載の決済処理方法。
【請求項３】
前記決済権限レベルとして、前記決済上限金額を超過した決済の可否に関する情報のみならず、マイナス金額決済の可否、ゼロ金額決済の可否、売上伝票キャンセルの可否に関する情報を少なくとも含む複数種類の決済可否項目の組み合わせからなる複数段階の権限レベルをあらかじめ任意に設定登録していることを特徴とする請求項２に記載の決済処理方法。
【請求項４】
売上代金が前記決済上限金額を超過した場合に、前記レジスタ担当者が超過する該売上代金の決済を行う権限を有していない場合、代替の決済担当者の認証コードの入力を促す認証コード入力画面を、前記レジスタ担当者のレジスタ端末に画面表示することを特徴とする請求項１ないし３のいずれかに記載の決済処理方法。
【請求項５】
画面表示された前記認証コード入力画面に入力された認証コードが、前記決済上限金額を超過する売上代金の決済を許容する権限がある決済担当者を示す認証コードであった場合、前記レジスタ担当者のレジスタ端末にて前記決済上限金額を超過する売上代金の決済を行うことを特徴とする請求項４に記載の決済処理方法。
【請求項６】
画面表示された前記認証コード入力画面に入力された認証コードが、前記決済上限金額を超過する売上代金の決済を許容する権限がある決済担当者を示す認証コードではなかった場合、決済を行うことができない旨のエラー表示を前記レジスタ担当者のレジスタ端末に画面表示して、決済を実行しないことを特徴とする請求項４に記載の決済処理方法。
【請求項７】
前記決済上限金額を超過する売上代金の決済を超過決済として行う際に、該超過決済に関する情報の履歴を、発生順に登録する発生順超過決済レポートおよび／またはレジスタ担当者別に登録する担当者別超過決済レポートとして蓄積して一覧形式で出力することを特徴とする請求項１ないし６のいずれかに記載の決済処理方法。
【請求項８】
レジスタ端末により売上代金の決済を行う決済処理システムにおいて、該レジスタ端末により決済を行うレジスタ担当者の決済が許容される決済上限金額をあらかじめ任意に設定登録する決済上限金額設定手段を備えていることを特徴とする決済処理システム。
【請求項９】
売上代金が前記決済上限金額を超過する場合に、前記決済上限金額を超過する該売上代金の決済を行う権限を有しているか否かを示す決裁権限レベルを、前記レジスタ担当者ごとに、あらかじめ任意に設定登録する担当者登録手段を備えていることを特徴とする請求項８に記載の決済処理システム。
【請求項１０】
売上代金が前記決済上限金額を超過した場合に、前記レジスタ担当者が超過する該売上代金の決済を行う権限を有していない場合、代替の決済担当者の認証コードの入力を促す認証コード入力画面を、前記レジスタ担当者のレジスタ端末に画面表示することを特徴とする請求項８または９に記載の決済処理システム。
【請求項１１】
画面表示された前記認証コード入力画面に入力された認証コードが、前記決済上限金額を超過する売上代金の決済を許容する権限がある決済担当者を示す認証コードであった場合、前記レジスタ担当者のレジスタ端末にて前記決済上限金額を超過する売上代金の決済を行うことを特徴とする請求項１０に記載の決済処理システム。
【請求項１２】
前記決済上限金額を超過する売上代金の決済を超過決済として行う際に、該超過決済に関する情報の履歴を、発生順に登録する発生順超過決済レポートおよび／またはレジスタ担当者別に登録する担当者別超過決済レポートとして蓄積して一覧形式で出力することを特徴とする請求項８ないし１１のいずれかに記載の決済処理システム。
【請求項１３】
請求項１ないし７のいずれかに記載の決済処理方法を、コンピュータにより実行可能なプログラムとして実施することを特徴とする決済処理プログラム。
【請求項１４】
請求項１３に記載の決済処理プログラムを、コンピュータにより読み取り可能な記録媒体に記録していることを特徴とするプログラム記録媒体。
【発明の詳細な説明】
【技術分野】
【０００１】
本発明は、決済処理方法、決済処理システム、決済処理プログラムおよびプログラム記録媒体に関し、特に、決済上限金額を超過した際の権限認証機能を付与した決済処理方法、決済処理システム、決済処理プログラムおよびプログラム記録媒体に関する。
【背景技術】
【０００２】
通常、商品の購入代金の精算を行うレジスタ担当者が、各レジスタ端末にて、顧客が購入する商品や飲食代等の決済操作を行う場合には、決済操作の上限金額等が、あらかじめ決められていない。例えば取引金額の大きい決済を行う場合であっても、レジスタ端末操作に不慣れなレジスタ担当者やあるいは不正目的のレジスタ端末操作をしようとするレジスタ担当者に対して、何らのチェックもなく、そのまま決済操作を行うことが可能となっている。そのため、売上代金の決済業務における安全性上の問題が発生する可能性がある（特許文献１参照）。
【特許文献１】特開平８-１２４０３２号公報（第３−５頁）
【発明の開示】
【発明が解決しようとする課題】
【０００３】
本発明は、かかる事情に鑑みてなされたものであり、決済上限金額をあらかじめ設定するとともに、該決済上限金額を超過した際の権限認証機能を付与することにより、決済業務における安全性の確保が可能な決済処理方法を提供することを、その目的としている。
【課題を解決するための手段】
【０００４】
前述の課題を解決するため、本発明による決済処理方法、決済処理システム、決済処理プログラムおよびプログラム記録媒体は、次のような特徴的な構成を採用している。
【０００５】
（１）レジスタ端末により売上代金の決済を行う決済処理方法において、該レジスタ端末により決済を行うレジスタ担当者の決済が許容される決済上限金額をあらかじめ任意に設定登録している決済処理方法。
（２）売上代金が前記決済上限金額を超過する場合に、前記決済上限金額を超過する該売上代金の決済を行う権限を有しているか否かを示す決裁権限レベルを、前記レジスタ担当者ごとに、あらかじめ任意に設定登録している上記（１）の決済処理方法。
（３）前記決済権限レベルとして、前記決済上限金額を超過した決済の可否に関する情報のみならず、マイナス金額決済の可否、ゼロ金額決済の可否、売上伝票キャンセルの可否に関する情報を少なくとも含む複数種類の決済可否項目の組み合わせからなる複数段階の権限レベルをあらかじめ任意に設定登録している上記（２）の決済処理方法。
（４）売上代金が前記決済上限金額を超過した場合に、前記レジスタ担当者が超過する該売上代金の決済を行う権限を有していない場合、代替の決済担当者の認証コードの入力を促す認証コード入力画面を、前記レジスタ担当者のレジスタ端末に画面表示する上記（１）ないし（３）のいずれかの決済処理方法。
（５）画面表示された前記認証コード入力画面に入力された認証コードが、前記決済上限金額を超過する売上代金の決済を許容する権限がある決済担当者を示す認証コードであった場合、前記レジスタ担当者のレジスタ端末にて前記決済上限金額を超過する売上代金の決済を行う上記（４）の決済処理方法。
（６）画面表示された前記認証コード入力画面に入力された認証コードが、前記決済上限金額を超過する売上代金の決済を許容する権限がある決済担当者を示す認証コードではなかった場合、決済を行うことができない旨のエラー表示を前記レジスタ担当者のレジスタ端末に画面表示して、決済を実行しない上記（４）の決済処理方法。
（７）前記決済上限金額を超過する売上代金の決済を超過決済として行う際に、該超過決済に関する情報の履歴を、発生順に登録する発生順超過決済レポートおよび／またはレジスタ担当者別に登録する担当者別超過決済レポートとして蓄積して一覧形式で出力する上記（１）ないし（６）のいずれかの決済処理方法。
（８）レジスタ端末により売上代金の決済を行う決済処理システムにおいて、該レジスタ端末により決済を行うレジスタ担当者の決済が許容される決済上限金額をあらかじめ任意に設定登録する決済上限金額設定手段を備えている決済処理システム。
（９）売上代金が前記決済上限金額を超過する場合に、前記決済上限金額を超過する該売上代金の決済を行う権限を有しているか否かを示す決裁権限レベルを、前記レジスタ担当者ごとに、あらかじめ任意に設定登録する担当者登録手段を備えている上記（８）の決済処理システム。
（１０）売上代金が前記決済上限金額を超過した場合に、前記レジスタ担当者が超過する該売上代金の決済を行う権限を有していない場合、代替の決済担当者の認証コードの入力を促す認証コード入力画面を、前記レジスタ担当者のレジスタ端末に画面表示する上記（８）または（９）の決済処理システム。
（１１）画面表示された前記認証コード入力画面に入力された認証コードが、前記決済上限金額を超過する売上代金の決済を許容する権限がある決済担当者を示す認証コードであった場合、前記レジスタ担当者のレジスタ端末にて前記決済上限金額を超過する売上代金の決済を行う上記（１０）の決済処理システム。
（１２）前記決済上限金額を超過する売上代金の決済を超過決済として行う際に、該超過決済に関する情報の履歴を、発生順に登録する発生順超過決済レポートおよび／またはレジスタ担当者別に登録する担当者別超過決済レポートとして蓄積して一覧形式で出力する上記（８）ないし（１１）のいずれかの決済処理システム。
（１３）上記（１）ないし（７）のいずれかの決済処理方法を、コンピュータにより実行可能なプログラムとして実施する決済処理プログラム。
（１４）上記（１３）の決済処理プログラムを、コンピュータにより読み取り可能な記録媒体に記録しているプログラム記録媒体。
【発明の効果】
【０００６】
本発明の決済処理方法、決済処理システム、決済処理プログラムおよびプログラム記録媒体によれば、以下のような効果を得ることができる。
【０００７】
レジスタ担当者（決済担当者）の権限レベルに応じて、あらかじめ決済上限金額として設定されている金額以上の決済処理が行われることを防止することにより、不正目的の入出金操作を未然に防止することが可能となる。
【０００８】
また、前記決済上限金額を超えた金額を決済する場合、マネージャ等の上位の決裁権限を有する決済担当者が、当該レジスタ端末まで出向いて、上位の決済担当者の認証コード（従業員コードなど）の入力を行わせることにより、前記決済上限金額を超えた金額を支払う顧客に関する情報を、マネージャ等の上位の決済担当者が決済前に認識することができるので、決済上限金額を超えた金額を支払う顧客に対する会計前や会計後のサービスに有益な情報として役立てることができる。
【発明を実施するための最良の形態】
【０００９】
以下、本発明による決済処理方法、決済処理システム、決済処理プログラムおよびプログラム記録媒体の好適な実施例について添付図を参照して説明する。なお、以下の説明においては、本発明による決済処理方法、決済処理システムについて説明するが、かかる決済処理方法をコンピュータにより実行可能な決済処理プログラムとして実施するようにしても良いし、あるいは、決済処理プログラムをコンピュータにより読み取り可能な記録媒体に記録するようにしても良いことは言うまでもない。
【００１０】
（本発明の特徴）
本発明の実施例の説明に先立って、本発明の特徴について、その概要をまず説明する。本発明は、レジスタ担当者が、売上代金の決済を行うためにレジスタ端末の「決済」ボタン（ＰＯＳレジスタ端末の場合は、「現金」キーとも称する）を押下操作した際に、決済対象金額（売上代金）と決済上限金額としてあらかじめ設定された上限金額との比較を行い、もし、決済対象金額が決済上限金額を超過していた場合には、レジスタ担当者よりも上位の権限を有する決済担当者（例えばマネージャ等）にあらかじめ設定されている認証コード（例えば従業員コード）の入力を促す認証コード入力画面が、レジスタ端末に表示され、上位の決済担当者から入力された認証コードが、決済を行うことを許容された有効な認証コード（例えばマネージャ等の認証コード）であった場合に限って、決済上限金額を超過した金額の決済処理を有効とする点に、その特徴がある。
【００１１】
もし、認証コード入力画面において、決済を行うことが許容される権限を有していない認証コードが入力された場合は、エラー画面が表示され、当該決済対象金額の決済処理は行われない。
【００１２】
また、決済上限金額を超えた金額の決済を行った場合には、超過決済に関する情報の履歴を登録した超過決済情報の一覧を示す“超過決済レポート”が用意されている。ここで、“超過決済レポート”として、発生順超過決済レポートは、決済上限金額を超えた伝票情報が発生順に出力されるレポートである。さらに、決済担当者別レポート内にも、決済上限金額を超えた金額の決済を行った超過決済件数・超過決済金額の設定欄を設け、各決済担当者がどれだけの超過決済を行ったのかを把握できるようにしている。
【００１３】
なお、本発明による決済処理方法は、現金決済の場合のみに限らず、その他の金種（クレジットカード／ＩＣカード／商品券等）においても同様である。
【００１４】
（本発明の実施例）
次に、本発明の実施例について、具体的なイメージを図１〜図４を用いて説明する。図１は、本発明の決済処理方法における金額・決済関連の具体的な設定例を示すテーブルであり、決済処理用としてあらかじめ任意に設定した金額や決済関連の設定情報が格納されたマスタテーブルを示している。図１の決済関連マスタテーブル１１の設定例においては、不足金決済を行う権限を有しており、決済が許容される決済上限金額は、１０，０００単位（例えば、単位：円）であり、キャッシュドロワーの開放時間は２０秒であり、・・・、つり銭の上限金額を示すつり銭上限金額は、９，９９９単位であることを示している。したがって、超過決済時における決済の可否を判断する際には、決済合計金額とマスタテーブルに設定された決済上限金額１０，０００単位とが比較対象となる。
【００１５】
図２は、決済処理を行うレジスタ担当者の認証コードを登録している従業員マスタの構成例を示すマスタテーブルであり、少なくとも、各レジスタ担当者を識別可能な認証コードとして例えば従業員コードが、名前、決済に関する権限レベルを含む情報とともに設定登録されている。例えば、図２の従業員マスタテーブル１２の場合、従業員＃００４に関する従業員マスタとしては、従業員コードが「１２３４」であり、権限レベルは「＃０１」であり、従業員＃１００に関する従業員マスタとしては、従業員コードが「５６７８」であり、権限レベルは「＃０５」である旨が登録されている。ここで、決済に関する権限レベルを示す番号のそれぞれは、図３の権限レベルマスタテーブルにて定義されている。
【００１６】
図３は、決済処理を行う権限レベルを定義する権限レベルマスタの定義例を示すマスタテーブルであり、決済に関する権限レベルを示す番号ごとに、少なくとも、マイナス金額決済の可否、ゼロ金額決済の可否、決済上限金額を超える超過決済の可否、・・・、伝票キャンセルの可否に関する情報が定義されている。例えば、図３の権限レベルマスタテーブル１３の場合、権限レベルに関する番号が「＃０１」の場合、マイナス金額決済、ゼロ金額決済、決済上限金額を超える超過決済、・・・、伝票キャンセルのいずれも不可であり、一方、権限レベルに関する番号が「＃０５」の場合、マイナス金額決済、ゼロ金額決済、決済上限金額を超える超過決済、・・・、伝票キャンセルのいずれも可能である。
【００１７】
したがって、図２の従業員マスタテーブル１２において権限レベルの番号が「＃０１」の従業員＃００４の場合は、マイナス金額決済、ゼロ金額決済、決済上限金額を超える超過決済、・・・、伝票キャンセルのいずれも不可であり、図２の従業員マスタテーブル１２において権限レベルの番号が「＃０５」の従業員＃１００の場合は、マイナス金額決済、ゼロ金額決済、決済上限金額を超える超過決済、・・・、伝票キャンセルのいずれも可能である。
【００１８】
なお、図３の権限レベルマスタテーブル１３において、権限レベルの番号が＃０１よりも大きい番号の＃３０の方が権限レベルが高いというわけではなく（つまり、権限レベルの番号が大きい方が、より高い権限を有するというわけではなく）、それぞれ、権限レベルの番号＃０１から＃３０までの権限マスタテーブルとして、自由に、それぞれの項目に対して、“可”／“不可”の設定を行うことができる。
【００１９】
図４は、決済対象となる売上伝票の具体的な一例の売上画面例を示す模式図であり、画面の左側には、売上伝票番号、売上品名および売上金額を示す売上明細表示画面が表示され、画面の右側には、「商品」ボタンや「決済」ボタンが配置されている。図４の売上画面例では、売上明細表示画面の合計欄に示すように、売上合計金額が１２，６００単位であり、決済担当者が画面右側の「決済」ボタンを押下操作した際に、前記売上合計金額の１２，６００単位が、図１に示すマスタテーブルの決済上限金額の１０，０００単位と比較されることになる。
【００２０】
図４の場合のように、決済合計金額（売上合計金額：１２，６００単位）が、図１の決済関連マスタテーブル１１に設定された決済上限金額（１０，０００単位）を超えていた場合、レジスタ端末操作中のレジスタ担当者（決済担当者）が、決済上限金額を超えた決済を行う超過決済の権限を有しているか否かの判定を行うために、まず、図２に示す従業員マスタテーブル１２を参照して、当該レジスタ担当者の従業員マスタ情報内に登録された権限レベルの番号を取り出し、取り出した権限レベルの番号を基にして、図３に示す権限レベルマスタテーブル１３を参照して、権限レベルマスタ情報内の超過決済可／不可フラグの判定を行う。
【００２１】
図３に示す権限レベルマスタテーブル１３の参照結果、当該レジスタ担当者（決済担当者）の権限レベルにおいて、超過決済が可であった場合は、決済処理が実行される。しかし、当該レジスタ担当者の権限レベルにおいて、超過決済が不可であった場合は、図５のような担当者コード入力画面がレジスタ端末に表示される。この結果、決済不可とされた当該レジスタ担当者は、決裁権限が上位の決済担当者（例えばマネージャ）に連絡を行い、当該レジスタ端末まで出向いて貰う。ここで、図５は、担当者コードの入力を要求する担当者コード入力画面の一例を示す模式図である。当該レジスタ端末まで出向いた決裁権限が上位の決済担当者（例えばマネージャ）は、「担当者コード入力」欄に表示された置数ボタンを押下していくことにより、決裁権限が上位の当該決済担当者（例えばマネージャ）の担当者コードとして例えば「５６７８」を入力する。
【００２２】
図５の担当者コード入力画面の「担当者コード入力」欄に何らかの担当者コードが入力されると、入力された担当者コードを基にして、図２に示す従業員マスタテーブル１２を参照して、従業員マスタ情報を検索し、該当する従業員マスタ情報に登録されている権限レベルの番号を抽出して、抽出した権限レベルの番号を基に、図３に示す権限レベルマスタ１３を参照して、権限レベルマスタ情報を取り出し、取り出した権限レベルマスタ情報内の超過決済可／不可フラグの判定を行う。担当者コードを入力した当該決済担当者（マネージャ等）の権限レベルにおいて超過決済が可であった場合は、決済上限金額を超えた決済が行われたことを示す超過決済情報がレポートエリア(つまり、発生順超過決済レポート、担当者別レポートの登録エリア)に集計されるとともに、決済処理が実行される。
【００２３】
しかし、入力された担当者コードに該当した従業員の権限レベルにおいては、超過決済が不可であった場合は、図６に示すエラー画面のように、「権限はありません」とのエラー情報が表示され、決済処理は実行されない。図６は、決済担当者が決済権限を有していない旨を通知するエラー画面の一例を示す模式図であり、担当者コード入力画面に入力された担当者コードに該当する従業員は、決済上限金額を超える決済金額の決済を行う権限がない旨を表示している。
【００２４】
超過決済の条件が満たされた場合には、決済処理が行われ、決済処理終了後に図７のような決済完了画面が表示される。図７は、決済を完了した場合に画面表示される決済完了画面の一例を示す模式図であり、図４に示す売上伝票の売上合計金額１２，６００単位に対して、顧客から現金１５，０００単位を預かって、つり銭として２，４００単位を返却した場合について例示している。
【００２５】
なお、決済上限金額を超える決済金額の決済を行った超過決済情報の履歴を、決済発生順に、および、決済担当者別に、超過決済レポートとして蓄積し、あらかじめ定めた周期で、出力する例について、図８、図９にその一例を示している。つまり、図８は、超過決済情報の履歴を決済発生順に一覧表示する発生順超過決済レポートの一例を示す説明図であり、決済処理が実施された時刻が古い順に順番に（図８の発生順超過決済レポート１４の例では、２００６年１１月２０日の１８時１５分、１９時４０分、２０時３５分の順に）、決済担当者と決済金種、決済金額、超過決済認証者を一覧表示している例を示している。
【００２６】
また、図９は、超過決済情報の履歴を決済担当者別に一覧表示する担当者別超過決済レポートの一例を示す説明図であり、例えば、各決済担当者の従業員コードの順番に（図９の担当者別超過決済レポート１５の例では、佐藤、鈴木、高橋の順に）、それぞれの決済担当者が決済した全売上商品数と全売上金額、および、そのうち、現金決済を行った件数とその金額の集計結果とともに、決済上限金額を超える売上金額の決済を行った件数（図９の担当者別超過決済レポート１５の例では、佐藤、鈴木、高橋それぞれで１件、２件、１件の合計４件）とその金額を超過決済情報として一覧表示している例を示している。
【００２７】
最後に、以上に説明した本発明の決済処理方法の一例を、図１０に示すフローチャートを用いて、さらに説明する。図１０は、本発明の決済処理方法の一例を説明するためのフローチャートである。
【００２８】
図１０のフローチャートにおいて、レジスタ端末に売上伝票を示す売上画面（図４の売上画面例では、売上明細表示画面の合計欄に示すように、売上合計金額が１２，６００単位であり、図１の決済関連マスタテーブル１１に設定されている決済上限金額１０，０００単位を越えている売上合計金額が表示されている例を示している）を表示して、レジスタ担当者（決済担当者）が「決済」ボタンを押下操作すると（ステップＳ１）、図１の決済関連マスタテーブル１１に決済上限金額が設定されているか否かを確認する（ステップＳ２）。決済上限金額が設定されていない場合は（ステップＳ２の「いいえ」の場合）、ステップＳ９に移行して決済処理を行うが、決済上限金額が設定されている場合には（ステップＳ２の「はい」の場合）、次に、売上画面の売上合計金額つまり決済金額が図１の決済関連マスタテーブル１１に設定されている決済上限金額を超えているか否かを判別する（ステップＳ３）。
【００２９】
売上画面の売上合計金額が決済上限金額以下であった場合は（ステップＳ３の「いいえ」の場合）、ステップＳ９に移行して決済処理を行うが、売上画面の売上合計金額が決済上限金額を超えている場合には（ステップＳ３の「はい」の場合）、当該売上案件を当該レジスタ端末にて超過決済を行うことが可能か否かを判別する（ステップＳ４）。超過決済を行うことは不可であると判定された場合は（ステップＳ４の「いいえ」の場合）、ステップＳ１２に移行して、決済を不可能とするエラー表示を出力するが、超過決済を行うことが可能であると判定された場合には（ステップＳ４の「はい」の場合）、当該レジスタ担当者（決済担当者）は、超過決済が許容される権限を有する担当者であるか否かを判別する（ステップＳ５）。
【００３０】
超過決済が許容される権限を有する担当者であると判定された場合は（ステップＳ５の「はい」の場合）、ステップＳ９に移行して決済処理を行うが、かかる権限を有さない担当者であると判定された場合は（ステップＳ５の「いいえ」の場合）、図５のような担当者コード入力画面つまり認証コード入力画面がレジスタ端末に表示される（ステップＳ６）。認証コード入力画面が画面表示されることにより、現在のレジスタ担当者よりも決裁権限が上位の決済担当者が呼び出されて、認証コード入力画面の「担当者コード入力」欄に、上位の決済担当者の担当者コード（従業員コード）が認証コードとして入力される（ステップＳ７）
【００３１】
認証コードが入力されると、入力された認証コードが、超過決済を許容された有効なコードであるか否かを判別する（ステップＳ８）。超過決済を許容された有効なコードではないと判定された場合は（ステップＳ８の「いいえ」の場合）、図６に示すような超過決済の権限がない旨のエラー表示を行って（ステップＳ１２）、決済処理を実行することなく終了する。一方、超過決済を許容された有効なコードであると判定された場合には（ステップＳ８の「はい」の場合）、超過決済を行った旨を示す超過決済情報を、発生順超過決済情報レポート、担当者別決済情報レポートに集計した後（ステップＳ９）、超過決済処理を実行する（ステップＳ１０）。決済処理が終了すると、図７に示すような決済完了画面が画面表示され、顧客から預かった現金とつり銭とをレジスタ端末に表示し（ステップＳ１１）、レジスタ担当者（決済担当者）は、顧客へのレシートとつり銭を手渡すことにより、決済を終了する。
【００３２】
（本実施例の効果）
以上に説明したように、本実施例によれば、レジスタ担当者（決済担当者）の権限レベルに応じて、あらかじめ決済上限金額として設定されている金額以上の決済処理が行われることを防止することにより、不正目的の決済操作を未然に防止することが可能となる。
【００３３】
また、前記決済上限金額を超えた金額を決済する場合、マネージャ等の上位の決裁権限を有する決済担当者が、当該レジスタ端末まで出向いて、上位の決済担当者の認証コード（従業員コードなど）の入力を行わせることにより、前記決済上限金額を超えた金額を支払う顧客に関する情報を、マネージャ等の上位の決済担当者が決済前に認識することができるので、決済上限金額を超えた金額を支払う顧客に対する会計前や会計後のサービスに有益な情報として役立てることができる。
【００３４】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００３５】
【図１】本発明の決済処理方法における金額・決済関連の具体的な設定例を示すテーブルである。
【図２】決済処理を行うレジスタ担当者の認証コードを登録している従業員マスタの構成例を示すマスタテーブルである。
【図３】決済処理を行う権限レベルを定義する権限レベルマスタの定義例を示すマスタテーブルである。
【図４】決済対象となる売上伝票の具体的な一例の売上画面例を示す模式図である。
【図５】担当者コードの入力を要求する担当者コード入力画面の一例を示す模式図である。
【図６】決済担当者が決済権限を有していない旨を通知するエラー画面の一例を示す模式図である。
【図７】決済を完了した場合に画面表示される決済完了画面の一例を示す模式図である。
【図８】超過決済情報の履歴を決済発生順に一覧表示する発生順超過決済レポートの一例を示す説明図である。
【図９】超過決済情報の履歴を決済担当者別に一覧表示する担当者別超過決済レポートの一例を示す説明図である。
【図１０】本発明の決済処理方法の一例を説明するためのフローチャートである。
【符号の説明】
【００３６】
１１      決済関連マスタテーブル
１２      従業員マスタテーブル
１３      権限レベルマスタテーブル
１４      発生順超過決済レポート
１５      担当者別超過決済レポート
【図１】
2008282112.tif 000003
【図２】
2008282112.tif 000004
【図３】
2008282112.tif 000005
【図４】
2008282112.tif 000006
【図５】
2008282112.tif 000007
【図６】
2008282112.tif 000008
【図７】
2008282112.tif 000009
【図８】
2008282112.tif 000010
【図９】
2008282112.tif 000011
【図１０】
2008282112.tif 000012